【手続補正書】
【提出日】平成23年11月22日(2011.11.22)
【手続補正１】
【補正対象書類名】明細書
【補正対象項目名】０００７
【補正方法】変更
【補正の内容】
【０００７】
本発明の流体供給システムは、流体出射型印刷装置に流体を供給する流体供給システムであって、少なくとも画像の形成を容易にするのに適した流体を保持するよう構成された流体貯留器と、データ保存デバイス装着先として上記流体貯留器の第一表面から突出するペデスタルであって、少なくとも前記流体貯留器を支持する支持体の表面の開口内にまたは開口を貫通して突出するように構成されたペデスタルと、前記第一表面から突出し、前記ペデスタルの第一側面に設けられた第一整列用造形部と、前記第一表面から突出し、前記ペデスタルの前記第一側面とは反対側の第二側面に設けられた第二整列用造形部と、を備え、前記第一および第二の整列用造形部は、前記ペデスタルを前記支持体の表面の開口内にまたは開口を貫通して確実に配置するのを容易にするよう構成されることを特徴とする。このようにすると、ペデスタル及びその上のデバイスが支持体の表面開口内又は開口を貫通して突出するので、対データ保存デバイス接続部位は支持体の内側ではなく外側のみに生じることとなる。従って、データ保存デバイスを外部装置に接続し又は外部装置から切断するための着脱作業を、その部位にて容易に行うことができる。更に、ペデスタル及びその上のデバイスを支持体の開口を貫通して突出させることで、漏れてたまった流体でそのデバイスの状態が劣化し或いは損傷するがほとんどなくせる。損傷していない貯留器は容易に再生できるので、製造業者はその再生を低コストで行うことができる。
【手続補正２】
【補正対象書類名】明細書
【補正対象項目名】００１２
【補正方法】変更
【補正の内容】
【００１２】
そして、本発明を実施するに当たり、ペデスタルを複数個設けることもできる。各ペデスタルは、いずれも支持体の表面開口内又は開口を貫通して突出するよう、流体貯留器上に突設すればよい。このとき、ペデスタル突出部、例えばそのペデスタルの頂部乃至最先端部も複数個生じる。どのペデスタル突出部又はその近傍にもデータ保存デバイスを配設可能であり、そうした場合データ保存デバイス個数は複数個になる。更に、貯留器自体を複数個設けることもできる。その場合、あるペデスタルはある流体貯留器から、別のペデスタルは別の流体貯留器から、というように都合複数個のペデスタルを突設することや、データ保存デバイスを流体貯留器毎に設け、対応する流体貯留器についての情報をそのデータ保存デバイスに保持させることが可能である。加えて、ペデスタルを複数個設ける場合、あるペデスタルの突出口となる表面開口と、別のペデスタルの突出口となる表面開口とを、互いに同じ開口にすることも別々の開口にすることもできる。別々の開口にする場合は、それらの開口を互いに別々の面に設けることも同じ面に設けることもできる。
【手続補正３】
【補正対象書類名】明細書
【補正対象項目名】００１５
【補正方法】変更
【補正の内容】
【００１５】
本実施形態では、流体出射型印刷装置用の流体を蓄えうる流体貯留器にペデスタルを突設し、そのペデスタルにデータ保存デバイスを装着する構成を採っている。その貯留器を支持体に装着するとペデスタル及びその上のデバイスがその支持体の表面開口内又は開口を貫通して突出するので、データ保存デバイスに対する接続部位が支持体の内側ではなく外側にのみ生じる。従って、外部装置をそのデバイスに接続しまたその接続を解除する着脱作業を、従来より簡便に行うことができる。また、貯留器から漏れた流体がたまること、ひいてはその流体でデータ保存デバイスに状態劣化や損傷が生じることが、あまりなくなる。
【手続補正４】
【補正対象書類名】明細書
【補正対象項目名】００１９
【補正方法】変更
【補正の内容】
【００１９】
そのデバイス３１０が装着されている場所は、図５に示す通りペデスタル３０６の突出部３２８上、即ち頂部乃至最先端部の上である。この図は概略図であるため示されていないが、デバイス３１０の脱落を抑えるための形状的工夫をペデスタル３０６に施すとなおよい。その場合、デバイス３１０の脱落を防ぐための部分が、図４に示す如くそのデバイス３１０の縁から張り出すことがあり得る。従って、“デバイスが突出部上にある”という表現を“ペデスタルはデバイスよりも前にせり出さない”の意にとるべきではない。ペデスタル例えば３０６の“突出部”という場合、そのペデスタルのうち、そこにデバイス３１０を装着すると外部からそのデバイス３１０に容易にアクセスすることができる部位、例えば支持体３２０の表面開口内又は開口を貫通して流体貯留器から突出している部位のことと解すべきである。
【手続補正５】
【補正対象書類名】明細書
【補正対象項目名】００２４
【補正方法】変更
【補正の内容】
【００２４】
加えて、図３中でペデスタル３０６，３０８がくぐり抜けている開口３１４，３１６は支持体３２０の同一面３１８上にあるが、いわゆる当業者には自明な通り、支持体３２０上の複数面に開口を貫通して設け、ペデスタル３０６，３０８を互いに異なる面上の開口内に又はその開口越しに突出させてもよい。
【手続補正６】
【補正対象書類名】特許請求の範囲
【補正対象項目名】全文
【補正方法】変更
【補正の内容】
【特許請求の範囲】
【請求項１】
流体出射型印刷装置に流体を供給する流体供給システムであって、
少なくとも画像の形成を容易にするのに適した流体を保持するよう構成された流体貯留器と、
データ保存デバイス装着先として上記流体貯留器の第一表面から突出するペデスタルであって、少なくとも前記流体貯留器を支持する支持体の表面の開口内にまたは開口を貫通して突出するように構成されたペデスタルと、
前記第一表面から突出し、前記ペデスタルの第一側面に設けられた第一整列用造形部と、
前記第一表面から突出し、前記ペデスタルの前記第一側面とは反対側の第二側面に設けられた第二整列用造形部と、を備え、
前記第一および第二の整列用造形部は、前記ペデスタルを前記支持体の表面の開口内にまたは開口を貫通して確実に配置するのを容易にするよう構成されることを特徴とする、
流体供給システム。
【請求項２】
前記流体貯留器が、各々が供給する流体を保持する複数のサブ流体貯留室を備えることを特徴とする、請求項１に記載の流体供給システム。
【請求項３】
前記複数のサブ流体貯留室の一室が、前記複数のサブ流体貯留室の別の一室とは異なる色の流体を保持することを特徴とする、請求項２に記載の流体供給システム。
【請求項４】
前記流体が、インクジェットプリンタでの使用に適するインクであることを特徴とする、請求項１に記載の流体供給システム。
【請求項５】
前記データ保存デバイスが、前記ペデスタルの外側部分または外側部分の実質的近傍に配置され、複数の電気接続端子を有することを特徴とする、前記請求項１に記載の流体供給システム。
【請求項６】
請求項５に記載の流体供給システムであって、前記支持体が前記流体貯留器を支持しており、前記ペデスタルは、前記データ保存デバイスの電気接続端子が、前記支持体の流体貯留器に対向する側面とは反対側の側面から到達可能であるように、前記支持体の開口内にまたは開口を貫通して突出していることを特徴とする、流体供給システム。
【請求項７】
請求項６に記載の流体供給システムであって、少なくとも、前記データ保存デバイスとその電気接続端子とが、前記支持体の流体貯留器に対向する側面とは反対側の側面から到達可能であることから、前記データ保存デバイスと前記電気接続端子とが、前記流体貯留器からの流体漏れから保護されている、または実質的に保護されていることを特徴とする、流体システム。
【請求項８】
前記データ保存デバイスが、少なくとも前記流体貯留器に残留している流体の量に関するデータを保持することを特徴とする、請求項１に記載の流体供給システム。
【請求項９】
前記第一の整列用造形部および前記第二の整列用造形部の両方またはいずれか一方が、前記開口の縁部と接していることを特徴とする、請求項１に記載の流体供給システム。
【請求項１０】
前記第一の整列用造形部および前記第二の整列用造形部の両方またはいずれか一方が、前記ペデスタルから約６０ｍｍ未満の位置にあることを特徴とする、請求項９に記載の流体供給システム。
【請求項１１】
前記ペデスタルまでの距離が３０ｍｍ未満のペデスタル近接部分を有する流体供給ポートをさらに備える、請求項１記載の流体供給システム。
【請求項１２】
前記第一の整列用造形部が、前記第二の整列用造形部に近づけて設けられることを特徴とする、請求項１に記載の流体供給システム。
【請求項１３】
インクジェットプリンタに対してインクを供給するインクタンクであって、
（ａ）インクを蓄えた流体貯留器と、
（ｂ）電気接続部を有するペデスタルであって、ケースの第一表面から延設され、少なくとも前記ケースを支持する支持体の表面の開口内にまたは開口を貫通して突出するように構成されたペデスタルと、
（ｃ）前記第一表面から突出し、前記ペデスタルの第一側面に設けられた第一整列用造形部と、
（ｄ）前記第一表面から突出し、前記ペデスタルの前記第一側面とは反対側の第二側面に設けられた第二整列用造形部と、を備え、
前記第一および第二の整列用造形部は、前記ペデスタルを前記支持体の表面の開口内にまたは開口を貫通して確実に配置するのを容易にするよう構成されることを特徴とする、
インクタンク。
【請求項１４】
前記流体貯留器が、各々が供給する流体を保持する複数のサブ流体貯留室を備えることを特徴とする、請求項１３に記載のインクタンク。
【請求項１５】
前記複数のサブ流体貯留室の一室が、前記複数のサブ流体貯留室の別の一室とは異なる色の流体を保持することを特徴とする、請求項１４に記載のインクタンク。
【請求項１６】
前記電気接続部が、前記ペデスタルの外側部分または外側部分の実質的近傍に配置され、複数の電気接続端子を有することを特徴とする、請求項１４に記載のインクタンク。
【請求項１７】
請求項１６に記載のインクタンクであって、前記ペデスタルは、前記電気接続端子が、前記支持体の前記ケースに対向する側面とは反対側の側面から到達可能であるように、前記支持体の開口内にまたは開口を貫通して突出していることを特徴とする、インクタンク。
【請求項１８】
請求項１７に記載のインクタンクであって、少なくとも、前記電気接続端子が、前記支持体の前記ケースに対向する側面とは反対側の側面から到達可能であることから、前記電気接続端子が、前記流体貯留器からの流体漏れから保護されている、または実質的に保護されていることを特徴とする、インクタンク。
【請求項１９】
前記電気接続部が、少なくとも前記流体貯留器に残留している流体の量に関するデータを保持するよう構成されたデータ保存デバイスであることを特徴とする、請求項１４に記載のインクタンク。
【請求項２０】
前記第一の整列用造形部および前記第二の整列用造形部の両方またはいずれか一方が、前記開口の縁部と接していることを特徴とする、請求項１４に記載のインクタンク。
【請求項２１】
前記第一の整列用造形部および前記第二の整列用造形部の両方またはいずれか一方が、前記ペデスタルから約６０ｍｍ未満の位置にあることを特徴とする、請求項２０に記載のインクタンク。
【請求項２２】
前記ペデスタルまでの距離が３０ｍｍ未満のペデスタル近接部分を有する流体供給ポートをさらに備える、請求項１４記載のインクタンク。
【請求項２３】
前記第一の整列用造形部が、前記第二の整列用造形部に近づけて設けられることを特徴とする、請求項１４に記載のインクタンク。
【請求項２４】
前記流体貯留器が、唯一の流体貯留室であることを特徴とする、請求項１３に記載のインクタンク。
【請求項２５】
前記電気接続部が、前記ペデスタルの外側部分または外側部分の実質的近傍に配置され、複数の電気接続端子を有することを特徴とする、請求項２４に記載のインクタンク。
【請求項２６】
請求項２５に記載のインクタンクであって、前記ペデスタルは、前記電気接続端子が、前記支持体の前記ケースに対向する側面とは反対側の側面から到達可能であるように、前記支持体の開口内にまたは開口を貫通して突出していることを特徴とする、インクタンク。
【請求項２７】
請求項２６に記載のインクタンクであって、少なくとも、前記電気接続端子が、前記支持体の前記ケースに対向する側面とは反対側の側面から到達可能であることから、前記電気接続端子が、前記流体貯留器からの流体漏れから保護されている、または実質的に保護されていることを特徴とする、インクタンク。
【請求項２８】
請求項２４に記載のインクタンクであって、少なくとも前記流体貯留器に残留している流体の量に関するデータを保持するよう構成され、前記電気接続部と電気通信状態にあるデータ保存デバイスをさらに備えることを特徴とする、インクタンク。
【請求項２９】
前記第一の整列用造形部および前記第二の整列用造形部の両方またはいずれか一方が、前記開口の縁部と接していることを特徴とする、請求項２４に記載のインクタンク。
【請求項３０】
前記第一の整列用造形部および前記第二の整列用造形部の両方またはいずれか一方が、前記ペデスタルから約６０ｍｍ未満の位置にあることを特徴とする、請求項２９に記載のインクタンク。
【請求項３１】
前記ペデスタルまでの距離が３０ｍｍ未満のペデスタル近接部分を有する流体供給ポートをさらに備える、請求項２４記載のインクタンク。